(57)【特許請求の範囲】
【請求項１】
軸線を囲むように円筒配置され、該軸線を中心に回転自在に設けられており、円筒半径方向に折り曲げられたプリーツ形状を有するフィルタと、該フィルタの外周部に被処理水を流出する洗浄ノズルと、前記フィルタを囲むように設けられ前記洗浄ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備え、前記フィルタを回転させるための電動モータを備えた回転フィルタ濾過装置を用いた船舶用バラスト水の処理システムであって、
前記フィルタは、有効濾過面積が５ｍ２以上であって海水中の３０μｍ以上のプランクトンを９９％以上除去可能なフィルタであり、
前記洗浄ノズルと前記フィルタの谷との距離が１２０ｍｍ以下に配置され、
以下ａ〜ｄの条件を満たす定常運転をされるように構成されており、
前記被処理水が、濁度が１〜１０００ＮＴＵの海水である場合において、前記定常運転を１２時間以上継続可能であることを特徴とする船舶用バラスト水の処理システム。
ａ）前記フィルタの濾過時の回転数が２０ｒｐｍ以上１００ｒｐｍ以下
ｂ）前記洗浄ノズルから流出する洗浄水の流速が２５０ｍ／分以上
ｃ）前記フィルタの膜面積あたりの濾過流量が５．１ｍ／ｈ以下
ｄ）前記排出流路からの排出水量が、前記濾過流量の５％以上
【請求項２】
軸線を囲むように円筒配置され、該軸線を中心に回転自在に設けられており、円筒半径方向に折り曲げられたプリーツ形状を有するフィルタと、該フィルタの外周部に被処理水を流出する洗浄ノズルと、前記フィルタを囲むように設けられ前記洗浄ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備え、前記フィルタを回転させるための電動モータを備えた回転フィルタ濾過装置を用いた船舶用バラスト水の処理方法であって、
前記フィルタは、有効濾過面積が５ｍ２以上であって海水中の３０μｍ以上のプランクトンを９９％以上除去可能なフィルタであり、
前記洗浄ノズルと前記フィルタの谷との距離が１２０ｍｍ以下に配置されており、
前記被処理水が、濁度が１〜１０００ＮＴＵの海水である場合において、前記定常運転を１２時間以上継続可能であるように、
以下ａ〜ｄの条件を満たすように定常運転することを特徴とする船舶用バラスト水の処理方法。
ａ）前記フィルタの濾過時の回転数が２０ｒｐｍ以上１００ｒｐｍ以下
ｂ）前記洗浄ノズルから流出する洗浄水の流速が２５０ｍ／分以上
ｃ）前記フィルタの膜面積あたりの濾過流量が５．１ｍ／ｈ以下
ｄ）前記排出流路からの排出水量が、前記濾過流量の５％以上
【発明の詳細な説明】
【技術分野】
【０００１】
本発明は、船舶の航行時の安定のために貯留されるバラスト水の処理システムに関するものであり、特に船上に搭載された後に他の海域において排出されるバラスト水の高度な処理に関するものである。
【背景技術】
【０００２】
近年、船舶に積載するバラスト水の処理が問題となっている。バラスト水は空荷状態でも安全に航行するために船舶に積載される海水であり、バラスト水は航海の出発時に付近の海洋から取水し、到着地において付近の海洋へ排水される。即ち、出発地の海水からなるバラスト水が到着地で排水され、例えば、日本から出港したオイルタンカーがオイル産油国のクエート等の中近東へ航行してオイルを搭載する場合、日本海域の海水がバラスト水として積載され、中近東の海域で洋上に排水されるなどとなる。このようにバラスト水が取水した海域と異なる海域に排水されると、海水中の生物が本来の生息地でない海域に移動させられることとなり、海洋の生態系に大きな影響を及ぼすこととなる。
【０００３】
このため、バラスト水を浄化処理して微生物を除去あるいは殺滅、不活性化する方法が種々検討されている。たとえば特許文献１には海水を加熱して水中生物を殺菌する方法が記載され、特許文献２には蒸気を用いる方法や紫外線照射による方法が開示され、その他、電圧印加や衝撃波などの電気的方法や、次亜塩素酸ソーダなどの薬剤を投入する方法等が提案されている。また、前記殺滅処理の前段として、あるいは比較的大きな微生物の除去の目的で濾過を用いる方法も検討されており、たとえば特許文献３には濾過膜を用いたバラスト水の製造方法が記載されている。
【０００４】
また、本願発明者らは、このようなバラスト水の処理を検討しており、特許文献４のような回転する円筒状プリーツフィルタを用いた濾過装置を開示している。当該バラスト水の処理装置は、軸線を囲むように円筒配置され、該軸線を中心に回転自在に設けられたフィルタと、該フィルタの外周面に向けて被処理水を流出する被処理水ノズルと、前記フィルタを囲むように設けられ前記被処理水ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備えた船舶用バラスト水の処理装置である。かかる構成とすれば、円筒配置されたフィルタの外部から被処理水をフィルタ外周面に向けて噴出することでフィルタが回転しつつ連続的にフィルタ面を移動しながら濾過が行われる。これにより、フィルタの目詰まりを除去しつつ濾過を行い続けることが可能となり、同じ膜面積の平板状フィルタに比較して効率良く異物除去を行うことができる。
【先行技術文献】
【特許文献】
【０００５】
【特許文献１】特許第３６６０９８４号公報
【特許文献２】特許第４２６１９５５号公報
【特許文献３】特開２００６−７２８号公報
【特許文献４】特開２０１１−１９４３９６号公報
【発明の概要】
【発明が解決しようとする課題】
【０００６】
特許文献１〜３のような従来のバラスト水処理はそれぞれに短所を有しており、その解決手段として本願発明者らは特許文献４のような処理装置を開発している。バラスト水は大量の海水であり、その処理は停泊中の船舶の限られた時間の中で極力短時間で行うことが求められる。しかし、フィルタによる濾過においては長時間の運転により目詰まりを起こす可能性があり、その都度のフィルタ交換という事態になれば時間損失による損害が大きい。特許文献４に記載の回転フィルタ濾過装置は、プリーツ形状を有するフィルタを回転させつつ濾過面に洗浄水を連続的に作用させることで、フィルタの洗浄と濾過を同時並行して行うことが特徴である。しかし、その配置と運転条件が不適切であれば、洗浄効果が十分に得られず、結果として目詰まりを起こし、必要な濾過水量を確保する前に運転停止を余儀なくされるなどの不具合が生じる。そこで、本発明の目的は、停止することなく長時間の定常運転が可能なバラスト水の処理システムを提供することにある。
【課題を解決するための手段】
【０００７】
本願発明者らは、船上に設置でき効率的にバラスト水の浄化処理が行える手段を鋭意検討の結果本願発明に至った。
【０００８】
本願発明は、軸線を囲むように円筒配置され、該軸線を中心に回転自在に設けられており、円筒半径方向に折り曲げられたプリーツ形状を有するフィルタと、該フィルタの外周部に被処理水を流出する洗浄ノズルと、前記フィルタを囲むように設けられ前記洗浄ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備え、前記フィルタを回転させるための電動モータを備えた回転フィルタ濾過装置を用いた船舶用バラスト水の処理システムであって、前記洗浄ノズルと前記フィルタの谷との距離が１２０ｍｍ以下に配置され、以下ａ〜ｄの条件を満たす定常運転をされるように構成されていることを特徴とする船舶用バラスト水の処理システムおよび処理方法である。
ａ）前記フィルタの濾過時の回転数が２０ｒｐｍ以上１００ｒｐｍ以下
ｂ）前記洗浄ノズルから流出する洗浄水の流速が２５０ｍ／分以上
ｃ）前記フィルタの膜面積あたりの濾過流量が５．１ｍ／ｈ以下
ｄ）前記排出流路からの排出水量が、前記濾過流量の５％以上
【０００９】
前述の通り、発明者らは、対象とする回転フィルタ濾過装置の適切な運転条件を見いだすべく鋭意検討の結果、定常濾過に影響を与える要因として洗浄効果と排出水量に関係があることをつきとめ、結果として長時間の定常運転を可能とするための項目と条件を見いだした。上記の構造の装置においてａ）〜ｄ）の運転条件を満たすことで、一般的な船舶に必要なバラスト水の処理を、目詰まりにより停止させることなく運転することが可能となる。
【００１０】
濾過装置に流入する被処理水は、濾過されてバラスト水として利用される濾過水と、濾過されずに排出される排出水のいずれかになるため、被処理水流量＝濾過流量＋排出流量、となる。必要な濾過流量を確保しつつ運転する場合において、排出水量を減らしてゆくと、濾過されずにケース内に留まる被処理水中の濁質分等が次第に高濃度になり、目詰まりを一層起こしやすくなる。一方で排出流量を増やすことは、濾過全体の効率の面では不利である。そこで、濾過流量と排出流量には適切な関係が存在することとなる。また、濾過自体が安定な流量であるとしても、濾過膜の洗浄効果が劣れば、目詰まりが進行する。適切な洗浄のために、洗浄水ノズルの配置と洗浄水の流量、フィルタの回転数が寄与することが確認できた。
【００１１】
本発明において処理の対象となる海水は特に制限されないが、一般的に船舶が停泊する港湾域の海水には、微生物や濁質が含まれており、濁度が１〜１０００ＮＴＵ（Ｎｅｐｈｅｌｏｍｅｔｒｉｃ  Ｔｕｒｂｉｄｉｔｙ  Ｕｎｉｔ）程度である。問題とされる海水中の微生物として大腸菌、コレラ菌、腸球菌、ミジンコやヒトデ、アジア昆布等の幼生等が挙げられ、これらの微生物の大きさはほとんどが０．３から数百μｍである。ここでのフィルタは、海水中からの濁質除去と共に微生物の除去を目的とするものである。除去対象である濁質にはシリカ等の無機質成分などが含まれており、その大きさは様々である。これらを効果的に除去するため、フィルタは、海水中の５０μｍ以上、好ましくは３０μｍ、さらに好ましくは１０μｍ以上のプランクトンを濾過可能なものが用いられ、本願発明の効果を得るために好ましくは海水中の３０μｍ以上のプランクトンを９９％以上除去可能なフィルタであると良い。特に本願はフィルタの有効濾過面積が５ｍ２以上というような大面積のフィルタを用いて大量のバラスト水を処理する場合に効果的であり、好ましくは３０ｍ２以上というような大型の装置において用いると長時間運転の面で有効である。
【００１２】
このような本発明の装置、方法によれば、濁度が１〜１０００ＮＴＵの海水である場合において、定常運転を１２時間以上継続可能、すなわち少なくとも１２時間の定常運転を継続可能とすることができ、バラスト水処理として適切に使用することができる。
【発明の効果】
【００１３】
以上の発明によれば、停止することなく長時間の定常運転が可能なバラスト水の処理システムを提供することができる。
【図面の簡単な説明】
【００１４】
【図１】本発明にかかる船舶用バラスト水の処理システムの代表的な全体構成を示すブロック図である。
【図２】本発明に用いられる回転フィルタ濾過装置の構成例を説明する縦断面模式図である。
【図３】図２におけるＡ−Ａ横断面を示す模式図である。
【図４】本発明に好適に用いられるプリーツフィルタの代表的構成を説明する斜視模式図である。
【図５】洗浄水ノズルとフィルタとの位置関係を説明する図である。
【図６】本発明にかかる船舶用バラスト水の処理システムの別な全体構成例を示すブロック図である。
【図７】図６のシステムに用いられる回転フィルタ濾過装置の構成例を説明する縦断面模式図である。
【発明を実施するための形態】
【００１５】
本発明にかかる船舶用バラスト水の処理システムの装置構成および処理方法を図面を参照して説明する。なお、本発明はこれに限定されるものではなく、特許請求の範囲によって示され、特許請求の範囲と均等の意味および範囲内でのすべての変更が含まれることが意図される。
【００１６】
図１は、本願発明にかかる船舶用バラスト水の処理システムの全体構成を模式的に示した説明図である。図１において、海洋から取水された海水である被処理水は配管３１を経てポンプ２１により送られ、配管３２を通じて濾過手段であるフィルタ装置１２に供給される。フィルタ装置１２において濾過された濾過水は配管３３を経て紫外線照射装置などの殺滅手段１３（必須ではない。）に送られる。また、フィルタ装置１２において濾過されなかった排出水は、配管３５を経て装置外部へ導出される。殺滅処理を経た海水は、配管３４、配管３６を経てタンク１１に送られる。
【００１７】
図２および図３は、濾過手段としての回転フィルタ濾過装置の代表的な構成例を説明する模式図である。図２は、回転フィルタ濾過装置の縦断面、図３は、図２におけるＡ−Ａ横断面を示す。円筒形状のフィルタ１０１は回転中心となる軸線１４１を囲むように配置されており、中心に配置された中心配管（配管は回転しない）の周囲を回転自在に取り付けられている。フィルタとしては円筒の半径方向に山谷を繰り返すように折り目が付けられたプリーツフィルタが好ましく用いられる。フィルタの上下面は水密に塞がれている。回転自在な取り付け構造は、同じく水密構造とする必要があるが、特に限定されることなく既知の構造が用いられる。フィルタ全体を覆うようにケース１０３が設けられる。ケース１０３は外筒部１３１、蓋部１３２、底部１３３で構成され、底部１３３には排出流路１０８が設けられる。また、ケース１０３内に被処理水としての海水を導入するため被処理水配管１０６と、被処理水を洗浄水としてフィルタの濾過面方向に噴出するための洗浄水ノズル１０２が設けられる。洗浄水ノズル１０２は、そのノズル口１２１をケース１０３の外筒部１３１内に備えるように被処理水配管１０６から延設され、被処理水がフィルタの外周面に向かって流出するように構成されている。
【００１８】
本例の場合、洗浄水ノズルから噴出した被処理水はプリーツフィルタのプリーツ外周面に当たり、その圧力によってフィルタの洗浄効果が得られる。円筒状のフィルタ１０１はフィルタ中心軸に電動モータ１４０の軸１４１を連結し、強制的に回転させる構成としている。回転により、フィルタの洗浄部位が順次変化し、円筒外面の全体が洗浄され得る。電動モータの回転数は一定でも良いし、人為的に任意に定めることも可能であるが、濾過水の濁度やフィルタ内外の圧力などを検出して濾過の状態に応じて制御するとより好ましい。
【００１９】
濾過されない被処理水および、ケース内に沈殿した濁質分は、ケース底部の排出流路から順次排出される。このように濁質分や残った被処理水が連続的に常に排出されつつ濾過が進行される点がこの装置の特徴であり、バラスト水に求められる１０〜２０ｔｏｎ／時間、さらには１００ｔｏｎ／時間を超える処理量を確保するために効果がある。なお、図では排出流路にバルブなどを記載していないが、保守用や流量調節用に必要な機器が設けられる。一方、フィルタ１０１により濾過された濾過水はフィルタ内部にて中心配管１０４に設けられた取水穴１０５を通して濾過水流路１０７に導かれ、ケース外部に導出される。
【００２０】
図４は、本発明に好適に用いられるプリーツフィルタの代表的構成を説明する斜視模式図である。このフィルタは帯状の平面基材を山谷交互に折りたたむことで、いわゆるプリーツ形状とし、さらに円筒状につなぎ合わせて構成されたものである。図４において円筒状プリーツフィルタであるフィルタ１０１の円筒外側から濾過対象となる被処理水が供給され、フィルタによって濾過された水が円筒内側から排出される。
【００２１】
フィルタの基材には多孔質樹脂シートが用いられる。材質として例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用される。バラスト水処理では高流量処理を行うため、ポリエチレンテレフタレートなどのポリエステルからなる不織布が特に好適に用いられる。また、寸法例として、プリーツフィルタの外径は７００ｍｍ、軸方向長さ３２０ｍｍ、有効面積としての高さ２８０ｍｍ、プリーツ深さ７０ｍｍ、プリーツ数４２０折、が挙げられ、必要な処理水量に応じて有効面積を変えたり、複数のフィルタを並列に用いたりすることなどが可能である。
【００２２】
図５は、洗浄水ノズル１０２のノズル口１２１と、プリーツフィルタとの位置関係を説明する図である。ノズル口先端から、フィルタの谷部表面までの距離ｄを、洗浄ノズルとフィルタの谷との距離、と呼ぶ。
【００２３】
図６は、本願発明にかかる船舶用バラスト水の処理システムの別な全体構成を模式的に示した説明図である。図１と同じ要素には同じ符号を付けており、説明は省略する。図１と異なるのは、フィルタ装置１２において、濾過されていない被処理水を洗浄水として循環させるための配管３７，ポンプ２２，配管３８により構成される循環流路が追加されていることである。これにより、被処理水ノズルと洗浄水ノズルが別個独立に設けられる事になる。
【００２４】
かかる構造を図７を用いて説明する。図２と同じ要素には同じ符号を付けており、説明は省略する。図６で説明した循環流路は具体的には、取水流路１５１、ポンプ１５２，洗浄水流路１５３により構成される。洗浄水ノズル１０２へは洗浄水流路１５３から循環供給される被処理水が供給される。外部からの被処理水は、別途、被処理水流路１０６から被処理水ノズル１１２を経てケース内に流入する。図１と異なり、被処理水の供給量とは独立して洗浄水の流量（流速）を制御することが可能となり、洗浄効果の制御の自由度が高まる点に特徴がある。
【実施例】
【００２５】
以下に各種条件下で海水の濾過を行った結果を示す。いずれの実験においても、所定の条件において１２時間の連続運転を行い、フィルタの目詰まりの有無を確認した。目詰まりは、フィルタ内外の水圧の差である差圧測定により判定し、差圧が５０ｋＰａ以上になった場合を目詰まり「有」と判断した。用いた海水は、佐賀県伊万里市において採取した標準的な海水であり、塩分濃度２〜４％、濁度１〜１０００ＮＴＵである。
【００２６】
装置構成の異なる３種類の装置において同様の実験を行った。装置Ａは、図２に示した装置であって、海水中の３０μｍ以上のプランクトンを９９％以上除去可能な不織布製のプリーツフィルタを用いている。プリーツフィルタの外径は３３４ｍｍ、軸方向長さ２００ｍｍ、プリーツ深さは７０ｍｍ、プリーツ数２１０折である。外筒部外径は４０６ｍｍφとした。装置Ｂは、装置Ａと同様の構成、材質であり、装置を大型化したものである。プリーツフィルタの外径は７００ｍｍ、軸方向長さ３０９ｍｍ（有効面積としての高さ２０４ｍｍ）、プリーツ深さ７０ｍｍ、プリーツ数４２０折、であり、かかるフィルタを３段重ねで用いた。装置Ｃは、図７に示した構成で被処理水と洗浄水ノズルを別々に備えた装置であり、フィルタは装置Ａと同じものを使用した。ここで、ノズル口はプリーツの長さ方向に長辺、プリーツ間隔方向に短辺を持つ長形開口である。ノズル口とフィルタの谷部表面との間隔ｄ（図５参照）をノズル距離（ｍｍ）とした。
【００２７】
それぞれの装置において、実験した結果を表１、表２，表３に示す。洗浄流速は、洗浄ノズルからケース内部に流れる洗浄水としての被処理水の流速である。大きいほど洗浄効果が高い。また、被処理水ノズルが洗浄ノズルを兼ねる場合は、投入される被処理水の量が多くなる。有効濾過面積（ｍ２）は、プリーツフィルタにおいて濾過に実効のある部分の表面積である。濾過水量（ｍ３／ｈ（時間））は、フィルタによって濾過され、濾過水流路から排出される濾過水の量であり、その値をフィルタの有効濾過面積で割ったものが、面積当たりの濾過水量（ｍ／ｈ）である。濾過水量は、その装置で処理できるバラスト水の量を表すものであり、大きいほど一定時間に多くの処理が行える。排出水量（ｍ３／ｈ）は、濾過されずに排出流路からケース外部に排出される水量である。排出比率（％）は、排出水量÷濾過水量を百分率で表したものであって、１００％であれば濾過される水量と濾過されずに排出される水量が同じということになる。排出水量と濾過水量の和が装置に投入される被処理水の量であるので、排出比率が小さい程、濾過の効率は高い（多くの処理を行える）ことになる。一方、排出比率が小さいと、ケース内に濾過されずに滞留する被処理水の濁度が高くなり、フィルタの目詰まりが起こりやすくなる傾向がある。回転数（ｒｐｍ）はフィルタの回転数であり、洗浄効果に影響する。
【００２８】
表１は、装置Ａによる実験結果である。データ番号１〜５を見ると、洗浄流速が２００ｍ／分では目詰まりが認められ、２５０ｍ／分以上であれば良いことが判る。データ番号５〜９では、回転数１０ｒｐｍと１２０ｒｐｍで目詰まりが認められ、その間２０以上１００以下では良好であることが判る。データ番号９〜１１により、ノズル距離が１５０ｍｍになると目詰まりが認められ、１２０ｍｍ以下が必要である。データ番号１２〜１４からは、面積当たりの濾過水量が６ｍ／ｈになると目詰まりが認められ、５．１ｍ／ｈ以下であれば良いことが判る。また、データ番号１５と１６より、排出比率３．７％で目詰まりを認め、７．４％では目詰まりしないことが判る。
【００２９】
次に装置Ｂによる実験結果を表２に示す。データ番号２１〜２３からは、面積当たりの濾過水量が６ｍ／ｈになると目詰まりが認められ、５．１ｍ／ｈであれば良いことが判る。データ番号２４と２５を見ると、洗浄流速が２０６ｍ／分では目詰まりが認められ、２５０ｍ／分以上であれば良いことが判る。また、データ番号２６と２７より、排出比率３．９％で目詰まりを認め、５．１％では目詰まりしないことが判る。
【００３０】
次に装置Ｃによる実験結果を表３に示す。データ番号３１〜３３を見ると、洗浄流速が２００ｍ／分では目詰まりが認められ、２５０ｍ／分以上であれば良いことが判る。データ番号３４〜３５からは、面積当たりの濾過水量が６ｍ／ｈでは目詰まりが認められ、４．３ｍ／ｈであれば良いことが判る。また、データ番号３６〜３８より、排出比率４．０％で目詰まりを認め、５．０％、４０％では目詰まりしないことが判る。
【００３１】
【表１】
0005929303.tif 000002
【００３２】
【表２】
0005929303.tif 000003
【００３３】
【表３】
0005929303.tif 000004
【符号の説明】
【００３４】
１０    バラスト水の処理システム
１１    タンク
１２    回転フィルタ濾過装置
１３    紫外線照射装置
２１、２２  ポンプ
３１、３２、３３、３４、３５、３６、３７、３８  配管
１０１  フィルタ
１０２  洗浄水ノズル
１０３  ケース
１０４  中心配管
１０５  取水穴
１０６  被処理水流路
１０７  濾過水流路
１０８  排出流路
１１２  被処理水ノズル
１２１  ノズル口
１３１  外筒部
１３２  蓋部
１３３  底部
１４０  電動モータ
１４１  軸
１５１  取水流路
１５２  ポンプ
１５３  洗浄水流路
【図１】
0005929303.tif 000005
【図２】
0005929303.tif 000006
【図３】
0005929303.tif 000007
【図４】
0005929303.tif 000008
【図５】
0005929303.tif 000009
【図６】
0005929303.tif 000010
【図７】
0005929303.tif 000011